【事件の表示】
　特願２０１６−３１２９５「偏光板及び画像表示装置」拒絶査定不服審判事件〔平成２９年８月３１日出願公開，特開２０１７−１５１１６４〕について，次のとおり審決する。
【結　論】
　本件審判の請求は，成り立たない。
【理　由】
第１　事案の概要
　１　手続等の経緯
　特願２０１６−３１２９５号（以下「本件出願」という。）は，平成２８年２月２２日を出願日とする特許出願であって，その手続等の経緯は，概略，以下のとおりである。
平成２８年　８月１９日提出：手続補正書
平成２８年１０月２８日付け：拒絶理由通知書
平成２８年１２月２２日提出：意見書
平成２９年　２月２７日付け：拒絶理由通知書
平成２９年　４月２４日提出：意見書
平成２９年　４月２４日提出：手続補正書（以下「本件手続補正書」という。）
平成２９年　６月２９日付け：拒絶査定（以下「原査定」という。）
平成２９年　９月２８日提出：審判請求書
　
　２　本願発明
　本件出願の請求項１に係る発明は，本件手続補正書による補正後の特許請求の範囲の請求項１に記載された事項によって特定されるとおりの，次のものである（以下「本願発明」という。）。
「　フィルム状の偏光子と，前記偏光子に重なる複数の光学フィルムと，を備える偏光板であって，
　前記偏光板の外縁の端面の鉛直度が，０．００以上０．３５未満であり，
　前記偏光板の前記外縁の前記端面に沿う部分における偏光解消部の幅が，０．００μｍ以上３５μｍ未満であり，
　画像表示装置に用いられる，
偏光板。」
　
　３　原査定の概要
　本願発明についての原査定の拒絶の理由は，概略，本願発明は，本件出願の出願前に日本国内又は外国において頒布された刊行物である引用文献１に記載された発明に基づいて，その出願前にその発明の属する技術の分野における通常の知識を有する者が容易に発明をすることができたものであるから，特許法２９条２項の規定により特許を受けることができない，というものである。
引用文献１：特開２０１０−２７７０１８号公報
引用文献２：特開２００７−２５６４３号公報
引用文献３：特開平１１−１８３８４６号公報
　なお，引用文献２及び引用文献３は，周知例として示されたものである。
　
第２　当合議体の判断
　１　引用文献１の記載及び引用発明
　(1) 引用文献１の記載
　原査定の拒絶の理由で引用され，本件出願の出願前に頒布された刊行物である引用文献１には，以下の記載がある（要部のみを示す。）。なお，下線は当合議体が付したものであり，引用発明の認定や判断等に活用した箇所を示す。
　ア　「【技術分野】
【０００１】
　本発明は，液晶表示装置などの画像表示装置に用いられる偏光板，及びそれを用いた画像表示装置に関するものである。更に詳細には急激な温度変化に対する耐久性に優れた薄型偏光板，及びそれを用いた画像表示装置に関するものである。
【背景技術】
…(省略)…
【０００５】
　ところで近年，携帯電話などのモバイル用途の画像表示装置においては，デザインの面や携帯性の面から，モジュール全体を薄くしてスリム化することが進みつつある。当然のことながら，そこに使用される偏光板についてもさらなる薄型軽量化が要望されている。
…(省略)…
【発明が解決しようとする課題】
【００１３】
　本発明の目的は，…(省略)…急激な温度変化を受けた後も，偏光子に実質的に亀裂がない，急激な温度変化に対する耐久性に優れた偏光板の提供を目的とする。本発明のもう一つの目的は，この偏光板を画像表示装置に適用することにある。
【課題を解決するための手段】
【００１４】
　前記目的を達成するため，本発明は，ポリビニルアルコール系樹脂フィルムからなる偏光子の片面に透明保護層が形成され，偏光子の他面には，粘着剤層が形成されているか，又は粘着剤層，透明高分子フィルム及び粘着剤層の順に形成されており，所望形状に切断加工された後，最も外側の粘着剤層を介して画像表示素子に貼り合わされて使用される偏光板であって，最も外側の粘着剤層をガラスに貼った状態で，温度−４５℃で３０分冷却し，次いで温度８５℃で３０分加熱する連続動作を１サイクルとして１００サイクルの耐久試験を行ったとき，偏光板を形成する偏光子の端から内側に発生する亀裂が実質存在しない偏光板を提供するにある。
…(省略)…
【図面の簡単な説明】
【００２１】
【図１】本発明の一実施形態に係る偏光板の層構成の例を示す断面模式図である。
【図２】本発明のもう一つの実施形態に係る偏光板の層構成の例を示す断面模式図である。」
（当合議体注：図１及び図２は以下の図である。）
図１：
　
図２：
　
　イ　「【発明を実施するための形態】
【００２２】
　以下，添付の図面も適宜参照しながら，本発明を詳細に説明する。図１は，本発明の一実施形態に係る偏光板の層構成の例を示す断面模式図である。図１を参照して，この実施形態に係る
偏光板
偏光子
の片面に透明保護層
を形成し，偏光子
の他面には粘着剤層
を設け
粘着剤層
の露出面には，セパレータ
を配置し
【００２３】
　図２は，本発明のもう一つの実施形態に係る偏光板の層構成の例を示す断面模式図である。図２を参照して，この実施形態に係る
偏光板
偏光子
の片面に透明保護層
を形成し，偏光子
の他面には，粘着剤層
，透明高分子フィルム
，及び粘着剤層
をこの順に設け
粘着剤層
の露出面には，セパレータ
を配置し
…(省略)…
【００２５】
［偏光子］
　
偏光子
は，入射する自然光から直線偏光を取り出す機能を有するフィルムであり，
…(省略)…
【００２８】
［透明保護層］
　
偏光子
の片面に設けられる透明保護層
は，適宜な透明フィルムで
…(省略)…
【００２９】
［高分子フィルム又は位相差フィルム］
　図２に示す形態で用いる高分子フィルム３は，上記透明保護層２を構成する樹脂として例示したような各種の樹脂で構成することができる。特に，この
高分子フィルム
は，
位相差フィルムとしての機能を有
…(省略)…
【００３８】
［粘着剤層の貯蔵弾性率］
　そして本発明では，偏光板の最も外側に配置され，画像表示素子に貼り合わされる粘着剤層６は，２３〜８０℃の温度範囲において０．１５〜１０ＭＰａの貯蔵弾性率を示すもの，すなわち硬いもので構成するのが好ましい。
…(省略)…
【００４３】
　
セパレータ
は，
透明樹脂からなるフィルム
…(省略)…
【００４５】
［他の光学層］
　本発明の偏光板は，以上のように構成されるものであるが，透明保護層２の上には必要に応じて，他の光学機能を有する光学層を積層することができる。
…(省略)…
【００４６】
　例えば，この偏光板を画像表示素子の表示面（視認側）に配置する場合には，透明保護層の上に，ハードコート層，反射防止層，防眩層などの表面処理層が設けられていてもよい。
…(省略)…
【００４８】
　一方，この偏光板を液晶セルの表示面と反対側（背面側）に配置する場合には，透明保護層２の上に，反射層，半透過反射層，光拡散層，集光板，輝度向上フィルムなどを積層することができる。
…(省略)…
【００５５】
［偏光板の所望形状への切断加工］
　図１或は図２に示すように，ポリビニルアルコール系樹脂フィルムからなる偏光子の片面には透明保護層，偏光子の他面には，粘着剤層，粘着剤層の露出面にはセパレータが積層貼合されているか，又は粘着剤層，透明高分子フィルム及び粘着剤層，セパレータの順に積層貼合されてなる偏光板は，通常大面積の長尺シート形状より構成されており，液晶テレビ，パーソナルホン，車載用ナビゲーションシステム，液晶カラープロジェクター，ラップトップパソコン等に適用される画像表示素子に合わせて，所望形状に切断加工された後，最も外側の粘着剤層を介して画像表示素子に貼り合わされて使用されている。
…(省略)…
【００５６】
　本発明においては，かかる図１或いは図２に示すような偏光子の片方のみに透明保護層を有する薄型構造の
偏光板の切断加工において，レーザーを用いること
により，
耐久性試験を行った後も，偏光板を形成する偏光子の端から内側に発生する亀裂が実質存在しない偏光板を提供することが可能とな
【００５７】
　本発明における
レーザーによる偏光板の切断加工
は，
炭酸ガスレーザー，ＹＡＧレーザー，ＵＶレーザーなど，公知の方法が使用可能であ
【００５８】
　切断速度は，切断加工する偏光板の厚さに依存するが，偏光板の厚さが７０〜５００μｍの範囲であれば，１ｍ／分以上，好ましくは５〜６０ｍ／分である。切断速度が１ｍ／分未満では生産性に劣る傾向がある。また，赤外線レーザーの出力は，偏光子の厚さ，所望の切断速度などにもよるが，通常，１０Ｗ〜４００Ｗの範囲内で使用される。
本発明において使用するレーザー波長は，本発明が対象とする偏光子の片面にのみ透明保護層が形成された偏光板，特に薄型の偏光板の切断加工においては，レーザー波長が９．４μｍのものを用いることが推奨される。かかるレーザー波長を用いて切断加工する場合には，例えば１０．６μｍのレーザー波長を用いて切断加工したものに比較し，偏光板の切断端面に溶融物が突起したり，溶融変形することなく，切断端面が美麗である。それゆえ，画像表示素子への貼合においても，偏光板を構成するセパレーターフィルムの剥離が容易であるとともに，貼合端面も美麗であり，貼合部の空気の巻き込みやはがれ等の問題を生起することもないので好ましい。
【００５９】
［画像表示素子］
　上記の如く
所望形状に切断加工した
偏光板は，各種画像表示素子に配置して，画像表示装置とすることができる
　
　(2) 引用発明
　引用文献１の【００２２】，【００２５】，【００２８】，【００４３】，【００５６】，【００５７】及び【００５９】の記載からみて，引用文献１には，図１に対応する，次の発明が記載されている（以下「引用発明１」という。）。
「　偏光子の片面に透明保護層を形成し，偏光子の他面には粘着剤層を設け，粘着剤層の露出面には，セパレータを配置した偏光板であって，
　偏光子は，入射する自然光から直線偏光を取り出す機能を有するフィルムであり，
　偏光子の片面に設けられる透明保護層は，適宜な透明フィルムであり，
　セパレータは，透明樹脂からなるフィルムであり，
　偏光板の切断加工において，レーザーを用いることにより，耐久性試験を行った後も，偏光板を形成する偏光子の端から内側に発生する亀裂が実質存在しない偏光板を提供することが可能となり，
　レーザーによる偏光板の切断加工は，炭酸ガスレーザー，ＹＡＧレーザー，ＵＶレーザーなど，公知の方法が使用可能であり，
　所望形状に切断加工した偏光板は，各種画像表示素子に配置して，画像表示装置とすることができる，
　偏光板。」
　
　同様に，引用文献１には，図２に対応する，次の発明も記載されている（以下「引用発明２」という。）。
「　偏光子の片面に透明保護層を形成し，偏光子の他面には，粘着剤層，透明高分子フィルム及び粘着剤層をこの順に設け，粘着剤層の露出面には，セパレータを配置した偏光板であって，
　偏光子は，入射する自然光から直線偏光を取り出す機能を有するフィルムであり，
　偏光子の片面に設けられる透明保護層は，適宜な透明フィルムであり，
　高分子フィルムは，位相差フィルムとしての機能を有し，
　セパレータは，透明樹脂からなるフィルムであり，
　偏光板の切断加工において，レーザーを用いることにより，耐久性試験を行った後も，偏光板を形成する偏光子の端から内側に発生する亀裂が実質存在しない偏光板を提供することが可能となり，
　レーザーによる偏光板の切断加工は，炭酸ガスレーザー，ＹＡＧレーザー，ＵＶレーザーなど，公知の方法が使用可能であり，
　所望形状に切断加工した偏光板は，各種画像表示素子に配置して，画像表示装置とすることができる，
　偏光板。」
　
　２　対比及び判断
　(1) 対比
　ア　引用発明１
　本願発明と引用発明１を対比すると，以下のとおりとなる。
　(ア)偏光板
　引用発明１の「偏光板」は，「偏光子の片面に透明保護層を形成し，偏光子の他面には粘着剤層を設け，粘着剤層の露出面には，セパレータを配置した」ものである。
　ここで，引用発明１の「偏光子」は，「入射する自然光から直線偏光を取り出す機能を有するフィルム」であるから，フィルム状のものである。
　また，引用発明１の「透明保護層は，適宜な透明フィルムであり」，「セパレータは，透明樹脂からなるフィルム」であるから，いずれも，本願発明でいう，偏光子に重なる光学フィルムといえる。
（当合議体注：本件出願の明細書の【００１９】の記載からみて，引用発明１の「透明保護層」や「セパレータ」も，本願発明でいう「光学フィルム」に該当する。）
　
　したがって，引用発明１の「偏光子」，「透明保護層」，「セパレータ」及び「偏光板」は，それぞれ，本願発明の「偏光子」，「光学フィルム」，「光学フィルム」及び「偏光板」に相当する。また，引用発明１の「偏光板」は，本願発明の「偏光板」の「フィルム状の偏光子と，前記偏光子に重なる複数の光学フィルムと，を備える」という要件を満たす。
　
　(イ)画像表示装置
　引用発明１において，「所望形状に切断加工した偏光板は，各種画像表示素子に配置して，画像表示装置とすることができる」。
　したがって，引用発明１の「偏光板」は，本願発明の「偏光板」の「画像表示装置に用いられる」という要件を満たす。
　
　イ　引用発明２
　本願発明と引用発明２を対比しても，同様である。
　
　(2) 一致点及び相違点
　事案に鑑みて，引用発明１及び引用発明２を，以下，「引用発明」と総称する。
　ア　一致点
　本願発明と引用発明は，次の構成で一致する。
「　フィルム状の偏光子と，前記偏光子に重なる複数の光学フィルムと，を備える偏光板であって，
　画像表示装置に用いられる，
偏光板。」
　
　イ　相違点
　本願発明と引用発明は，次の点で相違する。
（相違点）
　「偏光板」について，本願発明は，「前記偏光板の外縁の端面の鉛直度が，０．００以上０．３５未満であり」，「前記偏光板の前記外縁の前記端面に沿う部分における偏光解消部の幅が，０．００μｍ以上３５μｍ未満であり」という要件を満たすのに対して，引用発明は，これが明らかではない点。
　
　(3) 判断
　引用文献１の【００５８】の記載からみて，引用発明のレーザーによる偏光板の切断加工は，偏光板の切断端面を，溶融物の突起や溶融変形のない美麗なものとすることにより，画像表示素子への貼合において，セパレーターフィルムの剥離が容易であり，貼合部の空気の巻き込みやはがれ等の問題も生起しない偏光板を得ることを意図したものといえる。
　ところで，本件出願の出願前の当業者ならば，より美麗な切断端面が得られる，すなわち，加工表面状態の向上等が期待できる方法として，エキシマレーザーによる加工方法を周知技術として心得ている（偏光板に限ったとしても，引用文献２の【００１７】，及び引用文献３の【００１４】に，エキシマレーザーによる加工の例が記載されている。）。
　そうしてみると，当業者が，引用発明において，より美麗な切断端面を得ることを目的として，エキシマレーザーによる偏光板の切断加工を採用することは，容易に着想することができたものといえる。また，エキシマレーザーによれば，原理上，熱的なダメージをほぼ与えることなく偏光板を切断加工することができる。また，相違点に係る「前記偏光板の外縁の端面の鉛直度が，０．００以上０．３５未満であり」，「前記偏光板の前記外縁の前記端面に沿う部分における偏光解消部の幅が，０．００μｍ以上３５μｍ未満であり」という条件は，エキシマレーザーによる切断加工においては，非常に緩い条件と考えられる。
　したがって，周知技術を心得た当業者が，引用発明におけるレーザーによる切断加工として，エキシマレーザーによる方法を採用することにより，相違点に係る本願発明の構成を具備するものとすることは，容易に発明をすることができたことといえる。
　
　(4) 発明の効果について
　本願発明の効果について，本件出願の明細書の【００１６】には，「本発明によれば，光漏れと光学フィルムの剥離とを抑制することができる偏光板，及び当該偏光板を含む画像表示装置が提供される。」と記載されている。
　しかしながら，このような効果は，引用発明の切断加工が意図する延長線上の効果といえるから，顕著なものであるとはいえない。
　
　(5) 請求人の主張について
　請求人は，審判請求書において，概略，引用文献１の【００５７】では，レーザー波長が９．４μｍのものを用いることが推奨されている（審判請求書の（４）［４−４−Ｂ］）と主張する。
　しかしながら，本件出願の出願前の当業者ならば，レーザー波長が９．４μｍのもの（ＣＯ２レーザー）よりもレーザー波長がＵＶ領域にあるエキシマレーザーの方が，原理上，品質の良い加工ができることを，技術常識として心得ている。
（当合議体注：ＣＯ２レーザーによるレーザー加工は，レーザーが材料に照射され吸収され，照射された部位の温度が上昇して沸点に達して気化状態になり，蒸発飛散することを動作原理とするものであるから，加工部周辺の温度が上昇するために，精密加工には向かないとされている。これに対して，エキシマレーザーによるレーザー加工は，光子エネルギーの高い光を材料に照射して，樹脂の分子骨格を形成している化学結合を切断することを動作原理とする（アブレーションと呼ばれる）ものであるから，周辺の熱影響が小さく品質の良い加工が可能である。）
　なお，引用文献１の【００５７】には，ＵＶレーザーも例示されているところでもある（文脈上，赤外線レーザーの第三高調波によるレーザーと理解される。）。
　
　請求人は，審判請求書において，概略，引用文献１〜引用文献３には，エキシマレーザーの加工条件が記載されていない（審判請求書の（４）＜４−５＞）とも主張する。
　確かに，エキシマレーザーによるレーザー加工であるとしても，レーザー出力や周波数が高ければ，熱影響の不具合が生じ，また，レーザー出力が閾値を下回ればアブレーションは起こらない。
　しかしながら，当業者ならば，エキシマレーザーによる切断加工を，試行することができる。また，試行は，試行錯誤ではなく，対処の方向性が見えた試行である（アブレーションが起きなければ，レーザー出力を上げればよく，熱影響等の不具合が出れば，レーザー出力又は周波数を下げればよい。）。加えて，エキシマレーザーによるアブレーション加工は，通常，マスクを用いて行われるから，シャープな断面の加工部が得られやすいといえる。
　したがって，請求人の主張は採用できない。
　
　３　むすび
　以上のとおり，本願発明は，周知技術を心得た当業者が引用発明に基づいて容易に発明をすることができたものであるから，特許法２９条２項の規定により特許を受けることができない。
　したがって，他の請求項に係る発明について検討するまでもなく，本件出願は拒絶されるべきものである。
　よって，結論のとおり審決する。